【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１の周期性において発生するアンカーサブフレーム内で、第１のタイプの同期信号を監視することと、ここにおいて、前記第１の周期性が無線フレーム周期性またはその倍数に対応する、
アンカーサブフレーム間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を備える、方法。
【請求項２】
前記ユニキャストサブフレームのうちの少なくとも１つ中で同期信号を監視することをさらに備える、請求項１に記載の方法。
【請求項３】
複数のユニキャストサブフレーム中で受信された同期信号を組み合わせることをさらに備える、請求項２に記載の方法。
【請求項４】
前記ユニキャストサブフレーム中の、監視された前記同期信号が、前記第１のタイプとは異なる第２のタイプのものである、請求項２に記載の方法。
【請求項５】
前記１つまたは複数のブロードキャストサブフレーム中での送信が、前記アンカーサブフレームまたは前記ユニキャストサブフレームのうちの少なくとも１つ中での送信よりも長いサイクリックプレフィックス（ＣＰ）を有する、請求項１に記載の方法。
【請求項６】
前記ユニキャストサブフレームのうちのどれがダウンリンク送信のためのものであり、どれがアップリンク送信のためのものであるかの指示を取得することをさらに備える、請求項１に記載の方法。
【請求項７】
前記アンカーサブフレームのうちの１つまたは複数内で物理ブロードキャストチャネル（ＰＢＣＨ）を受信することをさらに備える、請求項１に記載の方法。
【請求項８】
前記アンカーサブフレームのうちの１つまたは複数、または
前記ユニキャストサブフレームのうちの１つまたは複数
のうちの少なくとも１つ内でシステム情報ブロック（ＳＩＢ）情報を受信することをさらに備える、請求項１に記載の方法。
【請求項９】
前記アンカーサブフレームのうちの１つまたは複数、または
前記ユニキャストサブフレームのうちの１つまたは複数
のうちの少なくとも１つ内でユニキャスト物理ダウンリンク共有チャネル（ＰＤＳＣＨ）データを受信することをさらに備える、請求項１に記載の方法。
【請求項１０】
前記アンカーサブフレームまたは前記１つまたは複数のユニキャストサブフレームのうちの少なくとも１つが、
レガシーｅＭＢＭＳブロードキャスト信号、
単一セルポイントツーマルチポイント（ＳＣ−ＰＴＭ）信号、または
ニューキャリアタイプ（ＮＣＴ）
のうちの少なくとも１つを備える、請求項１に記載の方法。
【請求項１１】
前記アンカーサブフレームは、前記ＵＥが、前記１つまたは複数のユニキャストサブフレームと前記１つまたは複数のブロードキャストサブフレームとを受信するための情報を備え、
特に、前記ＵＥが、前記１つまたは複数のユニキャストサブフレームと前記１つまたは複数のブロードキャストサブフレームとを受信するための前記情報は、システム帯域幅、システムフレーム番号、前記１つまたは複数のユニキャストサブフレームのためのサブフレームパターン、または前記１つまたは複数のブロードキャストサブフレームのためのサブフレームパターンのうちの少なくとも１つを備える、請求項１に記載の方法。
【請求項１２】
ユーザ機器（ＵＥ）によるワイヤレス通信のための装置であって、
第１の周期性において発生するアンカーサブフレーム内で、第１のタイプの同期信号を監視するための手段と、ここにおいて、前記第１の周期性が無線フレーム周期性またはその倍数に対応する、
アンカーサブフレーム間で発生するようにスケジュールされた１つまたは複数のユニキャストサブフレームの指示を取得するための手段と、
アンカーサブフレーム間で発生するようにスケジュールされた１つまたは複数のブロードキャストサブフレームの指示を取得するための手段と
を備える、装置。
【請求項１３】
ワイヤレスノードによるワイヤレス通信のための方法であって、
第１の周期性において発生するアンカーサブフレーム内で、第１のタイプの同期信号を送信することと、ここにおいて、前記第１の周期性が無線フレーム周期性またはその倍数に対応する、
アンカーサブフレーム間で発生するようにスケジュールされた１つまたは複数のユニキャストサブフレームの指示を提供することと、
アンカーサブフレーム間で発生するようにスケジュールされた１つまたは複数のブロードキャストサブフレームの指示を提供することと
を備える、方法。
【請求項１４】
ワイヤレスノードによるワイヤレス通信のための装置であって、
第１の周期性において発生するアンカーサブフレーム内で、第１のタイプの同期信号を送信するための手段と、ここにおいて、前記第１の周期性が無線フレーム周期性またはその倍数に対応する、
アンカーサブフレーム間で発生するようにスケジュールされた１つまたは複数のユニキャストサブフレームの指示を提供するための手段と、
アンカーサブフレーム間で発生するようにスケジュールされた１つまたは複数のブロードキャストサブフレームの指示を提供するための手段と
を備える、装置。
【請求項１５】
請求項１〜１１または１３のいずれか一項に記載の方法を実行するための命令を備えるコンピュータプログラム。
【手続補正２】
【補正対象書類名】明細書
【補正対象項目名】００８０
【補正方法】変更
【補正の内容】
【００８０】
[0091]本開示の以上の説明は、当業者が本開示を作成または使用することができるように与えられたものである。本開示への種々の変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、本願の出願当初の特許請求の範囲に記載された発明を付記する。
［Ｃ１］
ユーザ機器（ＵＥ）によるワイヤレス通信のための方法であって、
第１の周期性において発生するアンカーサブフレーム内で、第１のタイプの同期信号を監視することと、
アンカーサブフレーム間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を備える、方法。
［Ｃ２］
前記第１の周期性が無線フレーム周期性の倍数に対応する、Ｃ１に記載の方法。
［Ｃ３］
前記ユニキャストサブフレームのうちの少なくとも１つ中で同期信号を監視することをさらに備える、Ｃ１に記載の方法。
［Ｃ４］
複数のユニキャストサブフレーム中で受信された同期信号を組み合わせることをさらに備える、Ｃ３に記載の方法。
［Ｃ５］
前記ユニキャストサブフレーム中の、監視された前記同期信号が、前記第１のタイプとは異なる第２のタイプのものである、Ｃ３に記載の方法。
［Ｃ６］
前記１つまたは複数のブロードキャストサブフレーム中での送信が、前記アンカーサブフレームまたは前記ユニキャストサブフレームのうちの少なくとも１つ中での送信よりも長いサイクリックプレフィックス（ＣＰ）を有する、Ｃ１に記載の方法。
［Ｃ７］
前記ユニキャストサブフレームのうちのどれがダウンリンク送信のためのものであり、どれがアップリンク送信のためのものであるかの指示を取得することをさらに備える、Ｃ１に記載の方法。
［Ｃ８］
前記アンカーサブフレームのうちの１つまたは複数内で物理ブロードキャストチャネル（ＰＢＣＨ）を受信することをさらに備える、Ｃ１に記載の方法。
［Ｃ９］
前記アンカーサブフレームのうちの１つまたは複数、または
前記ユニキャストサブフレームのうちの１つまたは複数
のうちの少なくとも１つ内でシステム情報ブロック（ＳＩＢ）情報を受信することをさらに備える、Ｃ１に記載の方法。
［Ｃ１０］
前記アンカーサブフレームのうちの１つまたは複数、または
前記ユニキャストサブフレームのうちの１つまたは複数
のうちの少なくとも１つ内でユニキャスト物理ダウンリンク共有チャネル（ＰＤＳＣＨ）データを受信することをさらに備える、Ｃ１に記載の方法。
［Ｃ１１］
前記アンカーサブフレームまたは前記１つまたは複数のユニキャストサブフレームのうちの少なくとも１つが、
レガシーｅＭＢＭＳブロードキャスト信号、
単一セルポイントツーマルチポイント（ＳＣ−ＰＴＭ）信号、または
ニューキャリアタイプ（ＮＣＴ）
のうちの少なくとも１つを備える、Ｃ１に記載の方法。
［Ｃ１２］
前記アンカーサブフレームは、前記ＵＥが、前記１つまたは複数のユニキャストサブフレームと前記１つまたは複数のブロードキャストサブフレームとを受信するための情報を備える、Ｃ１に記載の方法。
［Ｃ１３］
前記ＵＥが、前記１つまたは複数のユニキャストサブフレームと前記１つまたは複数のブロードキャストサブフレームとを受信するための前記情報は、システム帯域幅、システムフレーム番号、前記１つまたは複数のユニキャストサブフレームのためのサブフレームパターン、または前記１つまたは複数のブロードキャストサブフレームのためのサブフレームパターンのうちの少なくとも１つを備える、Ｃ１２に記載の方法。
［Ｃ１４］
ユーザ機器（ＵＥ）によるワイヤレス通信のための装置であって、
第１の周期性において発生するアンカーサブフレーム内で、第１のタイプの同期信号を監視することと、
アンカーサブフレーム間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を行うように構成された少なくとも１つのプロセッサと、
前記少なくとも１つのプロセッサと結合されたメモリと
を備える、装置。
［Ｃ１５］
前記第１の周期性が無線フレーム周期性の倍数に対応する、Ｃ１４に記載の装置。
［Ｃ１６］
前記少なくとも１のプロセッサが、前記ユニキャストサブフレームのうちの少なくとも１つ中で同期信号を監視するようにさらに構成された、Ｃ１４に記載の装置。
［Ｃ１７］
前記少なくとも１のプロセッサが、複数のユニキャストサブフレーム中で受信された同期信号を組み合わせるようにさらに構成された、Ｃ１６に記載の装置。
［Ｃ１８］
前記ユニキャストサブフレーム中の、監視された前記同期信号が、前記第１のタイプとは異なる第２のタイプのものである、Ｃ１６に記載の装置。
［Ｃ１９］
前記１つまたは複数のブロードキャストサブフレーム中での送信が、前記アンカーサブフレームまたは前記ユニキャストサブフレームのうちの少なくとも１つ中での送信よりも長いサイクリックプレフィックス（ＣＰ）を有する、Ｃ１４に記載の装置。
［Ｃ２０］
前記少なくとも１つのプロセッサは、前記ユニキャストサブフレームのうちのどれがダウンリンク送信のためのものであり、どれがアップリンク送信のためのものであるかの指示を取得するようにさらに構成された、Ｃ１４に記載の装置。
［Ｃ２１］
前記少なくとも１つのプロセッサが、前記アンカーサブフレームのうちの１つまたは複数内で物理ブロードキャストチャネル（ＰＢＣＨ）を受信するようにさらに構成された、Ｃ１４に記載の装置。
［Ｃ２２］
前記少なくとも１つのプロセッサが、
前記アンカーサブフレームのうちの１つまたは複数、または
前記ユニキャストサブフレームのうちの１つまたは複数
のうちの少なくとも１つ内でシステム情報ブロック（ＳＩＢ）情報を受信するようにさらに構成された、Ｃ１４に記載の装置。
［Ｃ２３］
前記少なくとも１つのプロセッサが、
前記アンカーサブフレームのうちの１つまたは複数、または
前記ユニキャストサブフレームのうちの１つまたは複数
のうちの少なくとも１つ内でユニキャスト物理ダウンリンク共有チャネル（ＰＤＳＣＨ）データを受信するようにさらに構成された、Ｃ１４に記載の装置。
［Ｃ２４］
前記アンカーサブフレームまたは前記１つまたは複数のユニキャストサブフレームのうちの少なくとも１つが、
レガシーｅＭＢＭＳブロードキャスト信号、
単一セルポイントツーマルチポイント（ＳＣ−ＰＴＭ）信号、または
ニューキャリアタイプ（ＮＣＴ）
のうちの少なくとも１つを備える、Ｃ１４に記載の装置。
［Ｃ２５］
前記アンカーサブフレームは、前記ＵＥが、前記１つまたは複数のユニキャストサブフレームと前記１つまたは複数のブロードキャストサブフレームとを受信するための情報を備える、Ｃ１４に記載の装置。
［Ｃ２６］
前記ＵＥが、前記１つまたは複数のユニキャストサブフレームと前記１つまたは複数のブロードキャストサブフレームとを受信するための前記情報は、システム帯域幅、システムフレーム番号、前記１つまたは複数のユニキャストサブフレームのためのサブフレームパターン、または前記１つまたは複数のブロードキャストサブフレームのためのサブフレームパターンのうちの少なくとも１つを備える、Ｃ２５に記載の装置。
［Ｃ２７］
ユーザ機器（ＵＥ）によるワイヤレス通信のための装置であって、
第１の周期性において発生するアンカーサブフレーム内で、第１のタイプの同期信号を監視するための手段と、
アンカーサブフレーム間で発生するようにスケジュールされた１つまたは複数のユニキャストサブフレームの指示を取得するための手段と、
アンカーサブフレーム間で発生するようにスケジュールされた１つまたは複数のブロードキャストサブフレームの指示を取得するための手段と
を備える、装置。
［Ｃ２８］
ユーザ機器（ＵＥ）によるワイヤレス通信のための非一時的コンピュータ可読媒体であって、
第１の周期性において発生するアンカーサブフレーム内で、第１のタイプの同期信号を監視することと、
ｆｓ間で発生するようにスケジュールされた１つまたは複数のユニキャストサブフレームの指示を取得することと、
アンカーサブフレーム間で発生するようにスケジュールされた１つまたは複数のブロードキャストサブフレームの指示を取得することと
を行うための命令を備える、非一時的コンピュータ可読媒体。